(57)【特許請求の範囲】
【請求項１】
縦方向及び横方向と、愛玩動物の身体に対向する身体対向面及びその反対側に位置する非身体対向面とを有し、前記縦方向の中央に位置する第１区域と、前記縦方向において前記第１区域に隣接する第２区域と、前記身体対向面側に位置する内層シートと、前記非身体対向面側に位置する外層シートと、前記内外層シートの間に位置して吸液性コアとを含む長方形状の雄の愛玩動物用の吸収性物品において、
前記縦方向において互いに対向する第１端域及び第２端域と、前記第１端域に位置して前記第２端域を係脱可能に係止する係止部と、尿に接触して呈色を示すインジケータとを有し、
前記インジケータは、前記縦方向へ連続して延び、前記非身体対向面側から視認可能であり、
前記吸液性コアと前記外層シートとの間に防漏シートをさらに有し、
前記防漏シートは、グラフィックを配置してある装飾領域と、前記グラフィックを配置していない非装飾領域とを有し、
前記インジケータは、前記縦方向の両端部にのみ、前記非装飾領域と重なる第２部分と、前記縦方向の他の部分において前記装飾領域に重なる第１部分とを有することを特徴とする前記吸収性物品。
【請求項２】
前記第１端域と前記第２端域とを係止した着用状態の側面視において、前記インジケータの一部が視認可能である請求項１に記載の吸収性物品。
【請求項３】
前記インジケータは、前記吸液性コアが存在する存在領域に位置する請求項１又は２に記載の吸収性物品。
【請求項４】
前記インジケータは、吸液性コアが存在する存在領域と、前記吸液性コアが存在しない非存在領域とに位置する請求項１又は２に記載の吸収性物品。
【請求項５】
前記第１端域における前記係止部を配置した部位は、前記横方向において前記係止部が配置されていない第３領域よりも剛性が高く、
前記縦方向において、前記第１端域の延長線上に前記インジケータを配置してある請求項１〜４のいずれかに記載の吸収性物品。
【請求項６】
前記インジケータの前記縦方向の寸法は、前記吸収性物品の前記縦方向の寸法の６０％以上であって９０％以下の大きさである請求項２に記載の吸収性物品。
【請求項７】
前記横方向の寸法を２等分する第１軸と、前記縦方向の寸法を２等分する第２軸とを有し、
前記インジケータは、前記第２軸から、前記縦方向へそれぞれ延びる部分であって、前記吸収性物品の前記縦方向の寸法の３０％以上であって４５％以下の大きさの部分を有し、
前記インジケータは、着用状態において、前記愛玩動物における胴体の上下方向の寸法を２等分する２等分線を越えて上方へ延びる部分を有する請求項６に記載の吸収性物品。
【発明の詳細な説明】
【技術分野】
【０００１】
本発明は、犬や猫等の愛玩動物（ペット）の尿を吸収するための吸収性物品に関する。
【背景技術】
【０００２】
従来、犬や猫等の愛玩動物の身体に着用させるための吸収性物品は公知である。例えば、特許文献１には、縦方向及び横方向と、愛玩動物の身体に対向する身体対向面及びその反対側に位置する非身体対向面とを有し、前記縦方向の中央に位置する第１区域と、前記縦方向において前記第１区域に隣接する第２区域と、前記身体対向面側に位置する内層シートと、前記非身体対向面側に位置する外層シートと、前記内外層シートの間に位置して吸液性コアとを含む長方形状の雄の愛玩動物用の吸収性物品が開示されている。
【先行技術文献】
【特許文献】
【０００３】
【特許文献１】特開２０１２−２０５５７６号公報（Ｐ２０１２−２０５５７６Ａ）
【発明の概要】
【発明が解決しようとする課題】
【０００４】
特許文献１に開示された愛玩動物用の吸収性物品では、愛玩動物の尿に接触して呈色を示すインジケータが、縦方向へ間隔をおいて配置されている。このような愛玩動物用の吸収性物品は、比較的に高価であり、少量の尿が排泄された状態では着用を継続し、多量の尿が排泄された状態で交換をすることがよくあるところ、特許文献１に開示されている吸収性物品では、インジケータが縦方向へ間隔をおいて配置されているため、吸液性コアにどれくらい尿が拡散しているのかは、吸液性コアの身体対向面を確認しなければならず、手間がかかる課題があった。より詳細に説明すると、雄犬の愛玩動物は、一方の後脚を上方にあげ、他方の後脚を地面につけた状態で尿をすることが多い。このような状態で尿をし、その後、両後脚を地面につけると、尿は、吸収性物品の縦方向へ拡散する。雄犬の尿のしかたの個性、体調、尿量等により、吸液性コアに対する尿の縦方向への拡散には規則性がない。しかも、特許文献１に開示されている吸収性物品では、インジケータが縦方向へ間隔を置いて配置されているため、吸液性コアの縦方向における尿の拡散が分からず、確認に手間がかかる課題があった。
【０００５】
本発明は、従来の愛玩動物用の吸収性物品の改良であって、吸液性コアの縦方向における尿の拡散が分かり、尿の拡散の確認に手間がかからない吸収性物品の提供を課題にしている。
【課題を解決するための手段】
【０００６】
前記課題を解決するために、本発明は、縦方向及び横方向と、愛玩動物の身体に対向する身体対向面及びその反対側に位置する非身体対向面とを有し、前記縦方向の中央に位置する第１区域と、前記縦方向において前記第１区域に隣接する第２区域と、前記身体対向面側に位置する内層シートと、前記非身体対向面側に位置する外層シートと、前記内外層シートの間に位置して吸液性コアとを含む長方形状の雄の愛玩動物用の吸収性物品を対象とする。
【０００７】
本発明に係る吸収性物品の特徴は、前記縦方向において互いに対向する第１端域及び第２端域と、前記第１端域に位置して前記第２端域を係脱可能に係止する係止部と、尿に接触して呈色を示すインジケータとを有し、前記インジケータは、前記縦方向へ連続して延び、前記非身体対向面側から視認可能であり、前記吸液性コアと前記外層シートとの間に防漏シートをさらに有し、前記防漏シートは、グラフィックを配置してある装飾領域と、前記グラフィックを配置していない非装飾領域とを有し、前記インジケータは、前記縦方向の両端部にのみ、前記非装飾領域と重なる第２部分と、前記縦方向の他の部分において前記装飾領域に重なる第１部分とを有すること、である。
【０００８】
前記第１端域と前記第２端域とを係止した着用状態の側面視において、前記インジケータの一部が視認可能である。この着用物品によれば、愛玩動物が尿をしたか否かが手間をかけずに明確に分かる。
【０００９】
吸収性物品は、前記インジケータは、前記吸液性コアが存在する存在領域に位置する。この吸収性物品によれば、吸液性コアが存在する存在領域の剛性が、吸液性コアが存在しない非存在領域の剛性よりも大きいため、インジケータの非身体対向面側にギャザーが発生するのを抑えることができ、呈色を示した後のインジケータの視認を容易にすることができる。
【００１０】
前記インジケータは、前記吸液性コアが存在しない非存在領域にも位置する。この吸収性物品によれば、非存在領域に位置するインジケータが呈色していれば、吸液性コアで吸収・保持できる尿が限界に達していることが分かる。
【００１１】
前記第１端域における前記係止部を配置した部位は、前記横方向において前記係止部が配置されていない第３領域よりも剛性が高く、前記縦方向において、前記第１端域の延長線上に前記インジケータを配置してある。この吸収性物品によれば、剛性の高い係止部に対し、インジケータが縦方向の側方に位置するため、インジケータの非身体対向面にギャザーが発生するのを抑えることができ、インジケータの視認を容易にすることができる。
【００１４】
前記インジケータの前記縦方向の寸法は、前記吸収性物品の前記縦方向の寸法の６０％以上であって９０％以下の大きさである。この吸収性物品によれば、尿がされたことが確実に分かるとともに、不必要にインジケータが長くなるのを抑えることができる。
【００１５】
吸収性物品は、前記横方向の寸法を２等分する第１軸と、前記縦方向の寸法を２等分する第２軸とを有し、前記インジケータは、前記第２軸から、前記縦方向へそれぞれ延びる部分であって、前記吸収性物品の前記縦方向の寸法の３０％以上であって４５％以下の大きさの部分を有し、前記インジケータは、着用状態において、前記愛玩動物における胴体の上下方向の寸法を２等分する２等分線を越えて上方へ延びる部分を有する。この吸収性物品によれば、吸液性コアの縦方向における尿の分布が確実に分かるともに、尿がされたことが確実に分かる。
【発明の効果】
【００１６】
本発明の１つ以上の実施の形態に係る愛玩動物用の吸収性物品によれば、インジケータは、縦方向へ連続して延び、前記非身体対向面側から視認可能であるため、吸液性コアの縦方向における尿の拡散が手間をかけずに分かる。
【図面の簡単な説明】
【００１７】
図面は、本発明の特定の実施の形態を示し、発明の不可欠な構成ばかりでなく、選択的及び好ましい実施の形態を含む。
【図１】本発明の第１実施形態に係る吸収性物品を着用した愛玩動物を示す斜視図。
【図２】各弾性部材の最大伸長時（弾性部材の収縮作用によるギャザーがなくなる程度）まで長手方向及び幅方向に伸展した吸収性物品を身体対向面側から視た一部破断展開平面図。
【図３】図２と同様に伸展した状態において、吸収性物品を非身体対向面側から視た展開平面図。
【図４】図２のＩＶ−ＩＶ線に沿う断面図。
【図５】第１端域と第２端域とを係止した状態を示す斜視図。
【図６】第２実施形態に係る吸収性物品の図３と同様の展開平面図。
【図７】第２実施形態の吸収性物品の図１と同様の斜視図。
【図８】第３実施形態に係る吸収性物品の図３と同様の展開平面図。
【図９】第３実施形態の吸収性物品の図１と同様の斜視図。
【図１０】第３実施形態の変形例に係る吸収性物品の図１と同様の斜視図。
【図１１】第４実施形態に係る吸収性物品の図１と同様の斜視図。
【発明を実施するための形態】
【００１８】
下記の各実施の形態は、図１〜図１１に示す雄の愛玩動物用の吸収性物品に関し、発明の不可欠な構成ばかりではなく、選択的及び好ましい構成を含む。
【００１９】
＜第１実施形態＞
図２〜図４を参照すると、本発明の第１実施形態に係る愛玩動物（ペット）用の吸収性物品１０は、互いに交差する長手方向（縦方向）Ｙ及び幅方向（横方向）Ｘと、幅方向Ｘの寸法を２等分する第１軸Ｐと、長手方向Ｙの寸法を２等分する第２軸Ｑと、愛玩動物５の身体と対向する身体対向面とその反対側に位置する非身体対向面とを有する。吸収性物品１０は、長手方向Ｙにおいて互いに対向する第１端縁１０ａと第２端縁１０ｂと、それらの間において長手方向Ｙへ延びる両側縁１０ｃ，１０ｄとによって画成された長手方向Ｙへ長い矩形状を有する。吸収性物品１０は、図２に示すように、長手方向Ｙの中央に位置する腹部対向域（第１区域）１３と、長手方向Ｙにおいて腹部対向域に隣接する一対の背部対向域（第２区域）１４ａ，１４ｂとを有する
【００２０】
着用状態の吸収性物品１０は、例えば、図１に示すように、腹部対向域１３が、愛玩動物５の腹部６と対向し、背部対向域１４ａ，１４ｂが、愛玩動物５の背部７と対向する。背部対向域１４ａに、後述する第１端域１１Ａが含まれ、背部対向域１４ｂに、後述する第２端域１２Ａが含まれる。
【００２１】
図３を参照すると、一対の背部対向域１４ａ，１４ｂにおいて、一方の背部対向域１４の非身体対向面（外面）には、他方の背部対向域１４に取り外し可能に係止される係止部２５が配置されている。図２を参照すると、一対の背部対向域１４ａ，１４ｂにおいて、他方の背部対向域１４の身体対向面（内面）には、係止部２５が係止される被係止部２２が位置する。なお、被係止部２２は、非身体対向面に位置してもよい。
【００２２】
図２及び図３を参照すると、吸収性物品１０の長手方向Ｙの寸法Ｌ１は約３００〜１０００ｍｍ、幅方向Ｘの寸法Ｗ１は約８０〜５００ｍｍである。腹部対向域１３の長手方向Ｙの寸法Ｌ２は、１５０〜５００ｍｍであり、一対の背部対向域１４ａ，１４ｂのそれぞれの長手方向Ｙの寸法Ｌ３は、７５〜２５０ｍｍである。
【００２３】
吸収性物品１０は、身体対向面側に位置する透液性の内層シート２０と、透湿性プラスチックフィルム、繊維不織布、それらのラミネートシート等から形成され、非身体対向面側に位置する難透液性の外層シート３０と、内外層シート２０，３０の間に介在され、少なくとも腹部対向域１３に位置する吸液性コア１５とをさらに含む。また、吸液性コア１５と外層シート３０との間には、不透液性かつ透湿性のプラスチックフィルムから形成された防漏シート４０が配置されている。内外層シート２０，３０と防漏シート４０とは、吸液性コア１５の周縁から延出しており、互いに重なる各シート２０，３０，４０の延出部分が、それぞれ少なくともいずれか一方の内面に塗布されたホットメルト接着剤を介して互いに接合される。
【００２４】
吸収性物品１０の身体対向面側（又は内層シート２０の身体対向面）には、さらに、第１及び第２側縁１０ｃ，１０ｄに沿って長手方向Ｙへ延びる一対の被覆シート５０が配置される。被覆シート５０は、透液性又は不透液性の繊維不織布、プラスチックフィルム、それらのラミネートシート等から形成される。被覆シート５０は、幅方向Ｘの内側において内層シート２０を被覆する部分を有し、内層シート２０の両側縁から幅方向Ｘの外側へ延出する外層シート３０の延出部分とホットメルト接着剤（図示せず）を介して互いに固定される。このように、内層シート２０の両側縁部が被覆シート５０に被覆され、かつ、吸収性物品１０の両側縁部が不透液性のシートから形成されることから、内層シート２０の両側縁から滲出した尿が外部に漏れ出るのを防止することができる。
【００２５】
吸液性コア１５は、長手方向Ｙにおいて対向する両端縁１５ａ，１５ｂとそれらの間において長手方向Ｙへ延びる両側縁１５ｃ，１５ｄとから画成された矩形状であって、不水溶性かつ自己質量の１０倍以上の吸水力を有するいわゆる高吸収性ポリマー（ＳＡＰ）粒子、木材フラッフパルプ、オプションとして熱可塑性繊維を僅かに含む混合物から形成される。吸液性コア１５は、親水性かつ液拡散性を有する不織布又はティッシュペーパから形成されたコアカバーシート（図示せず）によって包被される。コアカバーシートは、内層シート２０及び／又は防漏シート４０とホットメルト接着剤を介して接合されている。
【００２６】
図２及び図３を参照すると、吸収性物品１０は、吸液性コア１５の両側縁１５ｃ，１５ｄの幅方向Ｘの外側において長手方向Ｙへ延びる第１側部１６及び第２側部（両側部）１７と、幅方向Ｘにおいて第１及び第２側部１６，１７の間に位置する中央部１８とを有する。第１及び第２側部１６，１７を形成する外層シート３０と被覆シート５０との間には、長手方向Ｙへ延びるストリング状又はストランド状の弾性部材（第１弾性部材６１と第２弾性部材６２）が伸長状態で収縮可能に取り付けられる。第１及び第２側部１６，１７の側縁部１６ａ，１７ａには、弾性部材６１，６２の収縮力が作用する弾性部が形成され、着用状態において、側縁部１６ａ，１７ａはフリル状を有する。
【００２７】
また、被覆シート５０は、図２に示すように、第１端縁１０ａと第２端縁１０ｂ側のそれぞれにおいて内層シート２０に固定された両端固定部７１，７２と、両端固定部７１，７２間において長手方向Ｙへ延び、かつ、内層シート２０に固定された固定側部（近位部）７３と、固定側部７３の幅方向Ｘの内側（第１軸Ｐに近接する側）に位置して内層シート２０に固定されていない自由部７４とを有する。自由部７４は、被覆シート５０の側縁部を折り曲げて形成されたスリーブ状の自由縁部７４ａを有し、自由縁部７４ａの内部には第３弾性部材（カフ弾性体）６３が伸長状態で収縮可能に取り付けられる。吸収性物品１０の着用状態において、第３弾性部材６３が伸長されることによって、自由部７４が内層シート２０から離隔して起立し、一対の立体カフ（バリアカフ）が形成される。立体カフが形成されることによって、尿が前脚４ａ，４ｂ側及び後脚４ｃ，４ｄ側へ移動するのを防止することができる（図１参照）。第１及び第２側部１６，１７に位置する被覆シート５０の自由部７４は、長手方向Ｙの両端に位置する、両端固定部７１，７２において内層シート２０の身体対向面に固定されている。
【００２８】
被覆シート５０の自由部７４は、本実施形態と異なり、幅方向Ｘにおいて、一方の両端固定部７１，７２が内層シート２７に固定されていなくてもよい。両端固定部７１，７２が非固定の場合には、被覆シート５０の自由部７４全体が幅方向Ｘの内側及び外側へ起立可能であるとともに内層シート２０に近接及び離隔が可能であって、後述する、愛玩動物５に吸収性物品１０を着用させるとき、雄の性器３を、横方向において、一対の自由縁部７４ａの間に位置させることが容易となる。
【００２９】
図２及び図３を参照すると、吸収性物品１０は、縦方向Ｙにおいて互いに対向する第１端域１１Ａと、第２端域１２Ａとを有している。係止部２５は、非身体対向面において吸液性コア１５の端縁１５ａと吸収性物品１０の端縁１０ａとの間に位置する第１端域１１Ａ（一方の背部対向域１４ａ）に配置されている。係止部２５は、例えば、矩形状であって、外層シート３０の外面に取り付けられた基材シートと、基材シートに固定されたメカニカルファスナのフック群から形成されたファスニング要素とを有する。被係止部２２は、身体対向面において吸液性コア１５の端縁１５ｂと吸収性物品１０の端縁１０ｂとの間に位置する第２端域１２Ａ（他方の背部対向域１４ｂ）に配置されている。被係止部２２は、内層シート２０を形成する繊維不織布から形成される。係止部２５のフック要素が係合し易いように、被係止部２２を形成する部分においてエンボス加工が施されていてもよいし、内層シート２０としてエンボス加工が施されていない長繊維からなるスパンボンド繊維不織布を用いてもよい。また、内層シート２０のうちの被係止部２２の位置する領域に、メカニカルファスナのループ群を有するターゲットシートを配置してもよい。さらに、図５に示すように、係止部２５と被係止部２２とが、係止状態において、所要の強度を有する限りにおいて、係止部２５としてフック群の代わりに、その表面にシリコンを塗布したセパレータで被覆された粘着剤を用いてもよい。
【００３０】
図３を参照すると、係止部２５の幅寸法Ｗ２は、例えば、吸液性コア１５の幅寸法Ｗ３と同一である。第１端域１１Ａにおいて係止部２５を配置した部分の剛性は、幅方向Ｘにおいて、係止部２５が配置されていない第３領域１１Ｂの剛性よりも高い。また、係止部２５のうちの吸収性物品１０の端縁１０ａと対向する端縁２５ａは、吸収性物品１０の端縁１０ａから長手方向Ｙの内側に位置しており、端縁１０ａ，２５ａ間の長手方向Ｙの離隔寸法Ｒは、３〜５０ｍｍである。このような吸収性物品１０では、例えば、第１端域１１Ａを把持して係止部２５を第２端域１２Ａに位置する被係止部２２に係止するときに、かかる離隔部分が摘持部分となり、指先が係止部２５のファスニング要素に直接触れて肌に刺激を受けたりするおそれはない。
【００３１】
係止部２５は、一方の背部対向域１４ａにおいて第１軸Ｐを含み、第１軸Ｐに対して対称となるように配置してある。このため、係止部２５が第１軸Ｐから第１側部１６又は第２側部１７のいずれか一方の側に偏倚するときに比して、第１端域１１Ａと第２端域１２Ａとをバランスよく連結することができ、偏りが発生することを抑えることができる。
【００３２】
図４を参照すると、吸液性コア１５と防漏シート４０との間には、愛玩動物５の尿に接触して呈色を示すインジケータ２１を配置してある。インジケータ２１は、図２及び図３に示すように、吸液性コア１５が存在する存在領域１９Ａのみに位置し、長手方向Ｙへ連続して延びている。このようなインジケータ２１は、例えば、長手方向Ｙの中央に配置してあり、かつ幅方向Ｘの中央に配置してある。外層シート３０及び防漏シート４０は、インジケータ２１が非身体対向面から視認できる全光線透過率を有している。インジケータ２１は、尿の水分に接触すると呈色を示すインク層と、オプションとしての、界面活性剤を含有したカバーシートとから形成されている。インジケータ２１の幅寸法Ｗ４は、吸液性コア１５の幅寸法Ｗ３及び係止部２５の幅寸法Ｗ２のいずれよりも小さい。また、インジケータ２１の長さ寸法Ｌ４は、吸液性コア１５の長さ寸法Ｌ５よりも小さく、吸収性物品１０の長さ寸法Ｌ１の６０％以上であって９０％以下の大きさである。上述したように、インジケータ２１は、長手方向Ｙの中央に配置してあるとともに、吸収性物品１０の長さ寸法Ｌ１に対して所定長さであるため、第２軸Ｑから長手方向Ｙへ延びる部分であって、吸収性物品１０の縦方向Ｙの寸法Ｌ１の３０％以上であって４５％以下の部分２４ａ，２４ｂを有する（図２参照）。
【００３３】
図１を参照すると、吸収性物品１０を愛玩動物５に着用させるときには、例えば、４本の脚４ａ，４ｂ，４ｃ，４ｄで立った状態の愛玩動物５に対し、一方の背部対向域１４ａを背部７に押し当てる。次に、前脚４ａ，４ｂと後脚４ｃ，４ｄとの間における腹部６に腹部対向域１３を押し当てる。このとき、愛玩動物５の性器３の先端を、横方向Ｘにおいて、一対の自由縁部７４ａ間に位置させる。次いで、他方の背部対向域１４ｂを上方へ引っ張り、被係止部２２を係止部２５に押し当てて係止し、第１端域１１Ａと第２端域１２Ａとを係止する。この着用状態の側面視において、図１に示すように、インジケータ２１の一部が視認可能である。吸収性物品１０を愛玩動物５に着用させた状態においては、前脚４ａ，４ｂと後脚４ｃ，４ｄとの間の部位が、吸収性物品１０によって覆われ、雄の性器３も吸収性物品１０によって覆われる。着用後、愛玩動物５の性器３から排泄された尿は、横方向Ｘにおいて、一対の自由縁部７４ａ間に排泄され、内層シート２０を通して吸液性コア１５に吸収・保持される。尿が吸液性コア１５の非身体対向面からインジケータ２１に滲出すると、尿の水分によってインジケータ２１のインク層が呈色を示す。
【００３４】
本実施形態に係る愛玩動物５の吸収性物品１０によれば、インジケータ２１は、長手方向Ｙへ連続して延びるものであるため、尿の拡散状態が外部から分かる。より具体的に説明すると、少量の尿が排泄された状態では、インジケータ２１の下方部分しか呈色しないが、多量の尿が排泄された状態では、インジケータ２１の上方部分も呈色し、どれくらい吸液性コア１５に尿が拡散しているのが分かる。また、雄犬の愛玩動物５は、一方の後脚４ｃ，４ｄを上方に上げ、他方の後脚４ｃ，４ｄを地面につけた状態で尿をすることが多い。このような状態で尿をし、その後、両後脚４ｃ，４ｄを地面につけると、尿は、吸収性物品１０の長手方向Ｙへ拡散する。この吸収性物品１０では、インジケータ２１が長手方向Ｙへ連続するため、雄犬の尿の拡散状態が分かる。
【００３５】
加えて、本実施形態に係る吸収性物品１０によれば、着用状態の側面視において、インジケータ２１の一部が非身体対向面側から視認可能であるため、愛玩動物５が尿をしたのか否かが手間をかけずに分かる。しかも、インジケータ２１の一部は、愛玩動物５の両側方から視認可能である。
【００３６】
また、インジケータ２１の長さ寸法Ｌ４は、吸収性物品１０の長さ寸法Ｌ１の６０％以上の大きさであるため、尿が排泄されたことが確実に分かる。しかも、インジケータ２１の長さ寸法Ｌ４は、吸収性物品１０の長さ寸法Ｌ１の９０％以下の大きさであるため、不必要にインジケータ２１が長くなるのを防止することができる。
【００３７】
さらにインジケータ２１は、第２軸Ｐから、長手方向Ｙへそれぞれ延びる部分であって、吸収性物品１０の長手方向Ｙの寸法の３０％以上であって４５％以下の大きさの部分２４ａ，２４ｂを有し、図１に示すように、着用状態において、愛玩動物５における胴体２の上下方向の寸法Ｌ６を２等分する２等分線２ａを越えて上方へ延びる部分を有する２４ｃ，２４ｄを有するため（図２参照）、吸液性コア１５の長手方向Ｙにおける尿の分布が確実に分かるともに、尿がされたことが確実に分かる。
【００３８】
加えて、インジケータ２１は、吸液性コア１５が存在する存在領域１９Ａのみに位置する。吸液性コア１５が存在する存在領域１９Ａの剛性は、吸液性コア１５が存在しない非存在領域１９Ｂの剛性よりも大きいため、インジケータ２１の非身体対向面にギャザーが発生するのを抑えることができ、呈色を示した後のインジケータ２１の視認を容易にすることができる。
【００３９】
また、第１端域１１Ａにおける係止部２５を配置した部位は、幅方向において係止部２５が配置されていない第３領域１１Ｂよりも剛性が高く、長手方向Ｙにおいて、第１端域１１Ａの延長線上にインジケータ２１を配置してあるため、剛性の高い係止部２５に対し、インジケータ２１が長手方向Ｙの側方に位置するため、インジケータ２１の非身体対向面にギャザーが発生するのを抑えることができ、インジケータ２１の視認を一層、容易にすることができる。
【００４０】
＜第２実施形態＞
図６は、第２実施形態の吸収性物品１０の図３と同様の展開平面図であり、図７は、第２実施形態の吸収性物品１０の図１と同様の斜視図である。以下に、第１実施形態と異なる点に関してのみ説明する。
【００４１】
インジケータ２１は、図６及び図７に示すように、長手方向Ｙにおいて、吸液性コア１５の両端縁１５ａ，１５ｂを超えて外側に延出するように連続し、長手方向Ｙの端部２１ａ，２１ｂが、吸液性コア１５が存在しない非存在領域１９Ｂにも位置している。
【００４２】
この吸収性物品１０によれば、インジケータ２１の端部２１ａ，２１ｂのいずれか一方が呈色していれば、吸液性コア１５で吸収・保持できる尿が限界に達していることが分かる。
【００４３】
＜第３実施形態＞
図８は、第３実施形態の吸収性物品１０の図３と同様の展開平面図であり、図９は、第３実施形態の吸収性物品１０の図１と同様の斜視図である。以下に、上記実施形態と異なる点に関して説明する。
【００４４】
防漏シート４０は、非身体対向面にグラフィック８０を配置してあるとともに、グラフィック８０を配置してある装飾領域８１（図８中、ハッチングを付してある領域）と、グラフィック８０を配置していない非装飾領域８２（図８中、ハッチングを付していない領域）とを有している。インジケータ２１は、平面視において、装飾領域８１と重なる第１部分２２ａと、非装飾領域８２と重なる第２部分２２ｂとを有している。この吸収性物品１０によれば、非装飾領域８２においてインジケータ２１の第２部分２２ｂが示す呈色を装飾領域８１より確実に視認することができる。
【００４５】
なお、グラフィック８０は、防漏シート４０の身体対向面に配置してもよいし、防漏シート４０に代えて、外層シート３０の身体対向面および非身体対向面のいずれか一方に配置してもよい。
【００４６】
また、グラフィック８０の色と、呈色を示した後のインジケータ２１の色とが同一であれば、呈色を示した後のインジケータ２１を、装飾領域８１のグラフィック８０で目立つのを抑えることができる。
【００４７】
＜変形例＞
図１０は、第３実施形態の変形例の吸収性物品１０の図９と同様の斜視図である。以下に、上記第３実施形態と異なる点に関してのみ説明する。
【００４８】
インジケータ２１は、長手方向Ｙの両端部にのみ、非装飾領域８２と重なる第２部分２２ｂを有し、他の部分は、装飾領域８１と重なる第１部分２２ａを有している。この吸収性物品１０では、愛玩動物５が少量の尿を排出した状態であれば、下方に位置するインジケータ２１の第１部分２２ａは呈色を示す。しかし、この第１部分２２ａは、装飾領域８１に位置するため、目立つのを抑えることができる。また、この状態であれば、吸液性コア１５の上方部分は、尿を吸収・保持できる状態である。一方、吸液性コア１５が限界近くまで尿を吸収・保持している状態であれば、インジケータ２１の第２部分２２ｂが呈色を示す。この第２部分２２ｂは、非装飾領域８２に配置してあるため、吸液性コア１５で吸収・保持できる尿が限界近くに達していることが明確に分かる。
【００４９】
＜第４実施形態＞
図１１は、第４実施形態の吸収性物品１０の図１と同様の斜視図である。以下に、上記実施形態と異なる点に関して説明する。
【００５０】
インジケータ２１は、長手方向Ｙの両端部に幅広部２３を有している。この吸収性物品１０によれば、吸収性物品１０から尿が漏れるおそれが高くなる状態においてインジケータ２１の端部を目立たせることができる。
【００５１】
なお、インジケータ２１の両端部は、幅広部２３を有するかわりに、幅狭部を有していてもよい。
【００５２】
上述した実施形態には、外層シート３０が難透液性を有する吸収性物品を説明した。しかし、この発明はそれに限られず、外層シート３０が不透液性を有してもよい。
【００５３】
また、上述した実施形態では、係止部２５の幅寸法Ｗ２と、吸液性コア１５の幅寸法Ｗ３とが同一でるものを説明した。しかし、この発明は、それに限られず、係止部２５の幅寸法Ｗ２が、吸液性コア１５の幅寸法Ｗ３よりも大きくてもよい。
【００５４】
さらに、上述した各実施形態は、分離して又は互いに組み合わせて採択することができる。
【００５５】
吸収性物品１０を構成する部材には、特に明記されていない限りにおいて、本明細書に記載されている材料のほかに、この種の分野において通常用いられている公知の材料を制限なく用いることができる。また、本明細書において使用されている「第１」、「第２」及び「第３」等の用語は、同様の要素、位置等を単に区別するために用いてある。
【符号の説明】
【００５６】
５    愛玩動物
１０    愛玩動物用の吸収性物品
１１Ａ  第１端域
１２Ａ  第２端域
１１Ｂ  第３領域
１３    腹部対向域（第１区域）
１４    背部対向域（第２区域）
１５    吸液性コア
１５ａ  吸液性コアの端縁
１５ｂ  吸液性コアの端縁
１９Ａ  存在領域
１９Ｂ  非存在領域
２０    内層シート
２１    インジケータ
２１ａ  インジケータの端部
２１ｂ  インジケータの端部
２２ａ  インジケータの第１部分
２２ｂ  インジケータの第２部分
２３    インジケータの幅広部
２４ａ  インジケータにおける、吸収性物品の長手方向の寸法の３０％以上であって４５％以下の部分
２４ｂ  インジケータにおける、吸収性物品の長手方向の寸法の３０％以上であって４５％以下の部分
２４ｃ  インジケータにおける、愛玩動物の胴体の上下方向の寸法を２等分する２等分線を越えて上方へ延びる部分
２４ｄ  インジケータにおける、愛玩動物の胴体の上下方向の寸法を２等分する２等分線を越えて上方へ延びる部分
２５    係止部
３０    外層シート
４０    防漏シート
８０    グラフィック
８１    装飾領域
８２    非装飾領域
Ｌ１    吸収性物品の長さ寸法（吸収性物品の縦方向の寸法）
Ｌ４    インジケータの長さ寸法（インジケータの縦方向の寸法）
Ｘ      幅方向（横方向）
Ｙ      長手方向（縦方向）
【要約】      （修正有）【課題】吸液性コアの縦方向における尿の拡散が手間をかけずに分かる吸収性物品を提供する。【解決手段】吸収性物品１０は、長手方向Ｙ及び幅方向Ｘと、愛玩動物の身体に対向する身体対向面及びその反対側に位置する非身体対向面とを有し、長手方向Ｙの中央に位置する第１区域１３と、長手方向Ｙにおいて第１区域１３に隣接する第２区域１４ａ、１４ｂと、前記身体対向面側に位置する内層シート２０と、前記非身体対向面側に位置する外層シート３０と、内外層シート２０，３０の間に位置する吸液性コア１５とを含み、長方形状の雄の愛玩動物用のものである。長手方向Ｙにおいて互いに対向する第１端域１１Ａ及び第２端域１２Ａと、第１端域１１Ａに位置して第２端域１２Ａを係脱可能に係止する係止部２５と、尿に接触して呈色を示すインジケータ２１とを有し、インジケータ２１は、長手方向Ｙへ連続して延び、前記非身体対向面側から視認可能である。【選択図】図２【図１】
0005916935.tif 000002
【図２】
0005916935.tif 000003
【図３】
0005916935.tif 000004
【図４】
0005916935.tif 000005
【図５】
0005916935.tif 000006
【図６】
0005916935.tif 000007
【図７】
0005916935.tif 000008
【図８】
0005916935.tif 000009
【図９】
0005916935.tif 000010
【図１０】
0005916935.tif 000011
【図１１】
0005916935.tif 000012